(57)【特許請求の範囲】
【請求項１】
経編編成によるレース部分を有する衣類において、
レース部分のうち、編立方向となる経方向への一方向伸縮部分と、編立方向となる経方向および編立方向とは直交する緯方向による二方向伸縮部分とを併存させてあり、
一方向伸縮部分は、経方向に延びる編目列に対する伸縮糸の挿入により形成され、二方向伸縮部分は、経方向に延びる編目列に対する伸縮糸の挿入により形成されるとともに、数ウェールにわたる別の伸縮糸による振り糸挿入部分を加えて形成してあることを特徴とするレース入り衣類。
【請求項２】
前記の経方向に延びる編目列が鎖編列であることを特徴とする請求項１記載のレース入り衣類。
【請求項３】
一方向伸縮部分においては、各ウェールの編目列に対して編目列を挟むようにして２本の伸縮糸を個別に挿入してあることを特徴とする請求項１記載のレース入り衣類。
【発明の詳細な説明】
【０００１】
【発明の属する技術分野】
本発明はレース入り衣類に関し、より詳細には経方向となる一方向伸縮部分と、経緯方向となる二方向伸縮部分とを有し、伸縮目的に応じて部分的に伸縮変化を与えたレース入り衣類に関する。
【０００２】
【従来の技術および発明が解決しようとする課題】
従来におけるレース入り衣類にあっては、全体がレースとして形成される場合や部分的にレースが形成される場合の何れにあっても、編立方向となる経方向にのみ伸縮性を付与したものや、編立方向と直交した方向となる緯方向にのみ伸縮を付与したものがあったが、レース入り衣類にとって必要とする部分的な伸縮方向性の多様な変化には対応しきれず、例えばブラジャー、ガードル、ショーツ等体形補正のために必要とする伸縮方向には対応しきれないものであった。
【０００３】
そのほか、伸縮性について、部分的変化を付与させるために、弾性上強弱のある伸縮糸を用いたり伸縮糸の使用本数を変化させたりしていたが、これらは具体的衣類についてレース部分を編成プログラム化する上で非常に難しく、編成結果として希望する部分的伸縮性の多様化を満足させ難いという問題点があった。
レース入り衣類において、それぞれが必要とする伸縮方向によく対応できるようなものが要望されていた。
【０００４】
【課題を解決するための手段】
そこで、本発明においては上記要望に適応できるレース入り衣類を提供できるものであって、その構成については、経編編成によるレース部分を有する衣類において、レース部分のうち、編立方向となる経方向への一方向伸縮部分と、編立方向となる経方向および編立方向とは直交する緯方向による二方向伸縮部分とを併存させてあることを特徴としている。
【０００５】
上記請求項１記載のレース入り衣類にあっては、経編編成によるレース部分のうち、体形へのフィット性の上から編立方向となる経方向への一方向のみの伸縮でよい部分は、一方向伸縮部分として編成してあり、例えば体形へのフィット性の上から経緯何れの方向へも伸縮変化を要する部分は、編立方向となる経方向および編立方向とは直交する緯方向による二方向伸縮部分として編成してあるので、非常に体形に適応するばかりか、体形を補正するのに適応できる衣類として提供できるもので、具体的には詳述するブラジャー、ガードル、ショーツ等を挙げることができる。
【０００６】
そして、上記の一方向伸縮部分と二方向伸縮部分の伸縮糸の構成については、一方向伸縮部分が、経方向に延びる編目列に対する伸縮糸の挿入により形成し、二方向伸縮部分は、経方向に延びる編目列に対する伸縮糸の挿入により形成されるとともに、数ウェールにわたる別の伸縮糸による振り糸挿入部分を加えて形成してあることを特徴としている。
請求項２記載のレース入り衣類にあっては、前記の経方向に延びる編目列が鎖編目列であることを特徴とするものである。
【０００７】
さらに、一方向伸縮部分における伸縮糸の抜脱を阻止できるように、本発明では、一方向伸縮部分においては、各ウェールの編目列に対して編目列を挟むようにして２本の伸縮糸を個別に挿入してあることを特徴とする構成を採用することが望ましい。
即ち、請求項３のように一方向伸縮部分において、各ウェールの編目列を挟むようにして２本の伸縮糸が挿入されていると、伸縮糸どうしの縮もうとする力を利用して互の抜脱が阻止されることになり、安定化をはかれるものである。
【０００８】
【発明の実施の形態】
次いで、本発明の実施形態について、図を参照しながら以下に説明する。
図１は、レース入り衣類がブラジャーの場合を示しており、図２は、経編編成によるレース部分の組織を示したもので、図３は、編成の概要を示している。  図１におけるＡは一方向伸縮部分、Ｂは二方向伸縮部分を示しており、Ｎ−Ｎは編立方向を示している。そして上記一方向伸縮部分Ａとは、経編編成によるレース部分のうち、編立方向となる経方向への伸縮部分であり、上記二方向伸縮部分Ｂとは編立方向となる経方向および編立方向とは直交する緯方向とによる伸縮部分であり、レース入り衣類となるブラジャーには、上記一方向伸縮部分Ａと二方向伸縮部分Ｂとを併存しているものである。
【０００９】
特にブラジャーとして、体形上のフィット性と体形補正のためのバストアップの要求上、カップ上側では一方向伸縮部分Ａとし、カップ下側ではバストアップの機能を高めるために二方向伸縮部分Ｂとしてレースを編成している。上記一方向伸縮部分Ａと二方向伸縮部分Ｂとを図２の組織図によって説明すると、鎖編用筬を以って、各ウェールＷにナイロン４０ｄ（デニール）の鎖編列１０を編成すると共に、各ウェールＷの鎖編列１０に沿って伸縮糸を挿入するが、挿入糸としては１本の挿入にて実施することも可能であるが、２本の伸縮糸用筬を以って、ポリウレタン系（商品名：スパンデックス）による伸縮糸１１，１２を挿入する場合を図示している。この伸縮糸１１と伸縮糸１２とは、鎖編列１０を挟むようにして個別に挿入しているものである。このような挿入によって、鎖編列１０を中心にした伸縮糸１１，１２どうしの縮もうとする力を利用して互いの抜脱が阻止され、挿入組織の安定化がはかれることになる。特にレース部分を細幅化するために編成後、細幅カットした場合に、伸縮糸が組織内でズレることを防止するのに役立つ。これら２本の伸縮糸１１，１２の組合せとしては、
(1) １４０ｄと  ７０ｄ
(2)   ７０ｄと  ７０ｄ
(3) １４０ｄと１４０ｄ
(4) ２１０ｄと２１０ｄ
等、種々の組合せ列が可能であり、(1)〜(4)に限定されるものではない。
【００１０】
また、二方向伸縮部分Ｂは、上記一方向伸縮部分Ａの伸縮糸１１，１２のほかに、ポリウレタン系（スパンデックス）による伸縮糸を、振り糸１３として伸縮糸１１，１２の経方向とは直交するように数ウェールにわたって振って挿入されているもので、緯方向への伸縮を付与できるようにしている。この振り糸１３としては、２０ｄ〜１４０ｄが好ましい。
【００１１】
次いで、図４および図５は、レース入り衣類としてガードルとショーツを示しており、図６は、編成の概要を示している。この場合は、鎖編列の糸としては、ナイロン４０ｄ、挿入する伸縮糸としては、多様な体形に対しての着脱容易性と着装感の安定化を考慮して、ポリウレタン系（スパンデックス）の１４０〜４２０ｄを、振り糸としては、同じくポリウレタン系（スパンデックス）の２０〜１４０ｄの糸を用いて実施するのが好ましいもので、ガードルおよびショーツの何れの場合も、腹部となる上部側は一方向伸縮部分Ａにて形成し、ヒップアップが要求される下部側は、二方向伸縮部分Ｂとなるように編成しているものである。
【００１２】
さらに、医療用ないしはスポーツ用のサポーターをレース入り衣類として形成する場合、図７に示してあり、編成概要は図８に示してある。
この場合、サポーターの前後の帯部分を二方向伸縮部分Ｂとし、中間を一方向伸縮部分Ａとして形成しているもので、鎖編列の糸はナイロン７０ｄを使用し、一方向伸縮部分Ａの伸縮糸としては、ポリウレタン系（スパンデックス）による１４０〜２８０ｄ、二方向伸縮部分Ｂの振り糸としては、ポリウレタン系（スパンデックス）による２０〜１４０ｄの糸を用いて実施している。
【００１３】
このサポーターの場合、中間部よりも前後がより立体的な可動性が要求されることと着脱感を配慮して、二方向伸縮部分Ｂとして形成しているが、これに限定されるものではなく、サポーターの使用態様に応じて編成態様を変えたものを用いてもよい。なお、本発明の衣類としては、レース入りであることが必要であり、上記実施態様では全体がレースとして形成されている場合を例示したが、実施上このように全体がレースとなっているもののほか、部分的にレース部分が編成されているものまで実施可能であり、本発明による各種衣類としては、レース編成されていない生地と縫製等にて連結されて形成される場合も実施可能である。
【００１４】
【発明の効果】
以上のように、本発明によるレース入り衣類によると、経編編成によるレース部分のうち、一方向伸縮部分と二方向伸縮部分とをその衣類の目的、用途、形態に応じて配分形成でき、特にブラジャーのごとくバストアップを要求されるものや、ガードルやショーツのごとくヒップアップを要求される衣類についても、その要求に適応するよう二方向伸縮部分を一方向伸縮部分に対して差別化させて、必要箇所に適切に配分編成して構成できるもので、糸の本数や伸縮度合の強弱に依存したものでないから、部分的な伸縮性の多様化に沿った編成プログラム化が非常に行い易い大きな利点を有する。
【００１５】
特に、一方向伸縮部分は、伸縮糸の挿入のみにより、二方向伸縮部分は伸縮糸の挿入と、伸縮糸の数ウェールにわたる振りとを併用によって編成することで、より一層のこと編成が行い易いものとなる。
さらに伸縮糸の挿入部分については、鎖編列による各ウェール毎に鎖編列を挟むようにして２本の伸縮糸を個別に挿入していることにて、互いの抜脱阻止に役立っているという利点も大きいものである。
【図面の簡単な説明】
【図１】ブラジャーをレース入り衣類とした概要正面図である。
【図２】部分組織図である。
【図３】編成概要を示す略示正面図である。
【図４】ガードルをレース入り衣類とした概要正面図である。
【図５】ショーツをレース入り衣類とした概要正面図である。
【図６】前図の編成概要を示す略示正面図である。
【図７】サポーターをレース入り衣類とした概要正面図である。
【図８】前図の編成概要を示す略示正面図である。
【符号の説明】
Ａ      一方向伸縮部分
Ｂ      二方向伸縮部分
Ｗ      ウェール
１０    鎖編列
１１    伸縮糸
１２    伸縮糸
１３    振り糸
【図１】
0003656145.tif 000002
【図２】
0003656145.tif 000003
【図３】
0003656145.tif 000004
【図４】
0003656145.tif 000005
【図５】
0003656145.tif 000006
【図６】
0003656145.tif 000007
【図７】
0003656145.tif 000008
【図８】
0003656145.tif 000009